(57)【要約】      （修正有）【課題】タービンケーシングの整備用くさびのためのリフト効率改善機構を提供する。【解決手段】タービンケーシング１０のアクセススロット２０に取り外し可能に取り付けるように構成された整備用くさび３０に使用するためのリフト効率改善機構が提供される。リフト効率改善機構は、タービンケーシング１０に、アクセススロット２０の近くで連結可能な連結器要素と、連結器要素に支持可能につながれ、かつ、整備用くさび３０に可動につながれ、手で持ち運ぶことができるリフト効率改善装置とを含む。リフト効率改善装置は、対応する作業者の制御動作に応じてアクセススロット２０に対して整備用くさび３０を動かすように構成されている。【選択図】図１
2014196737.tif 000002
【特許請求の範囲】
【請求項１】
タービンケーシングに、アクセススロットの近くで連結可能な連結器要素と、
前記連結器要素に支持可能につながれ、かつ、整備用くさびに可動につながれ、手で持ち運ぶことができるリフト効率改善装置と、を備え、
前記リフト効率改善装置が、対応する作業者の制御動作に応じて前記アクセススロットに対して前記整備用くさびを動かすように構成されている、
タービンケーシングのアクセススロットに取り外し可能に取り付けるように構成された整備用くさびに使用するリフト効率改善機構。
【請求項２】
前記整備用くさびが前記アクセススロットに対して放射方向に可動である、請求項１記載のリフト効率改善機構。
【請求項３】
前記整備用くさびを前記タービンケーシングにつなぐヒンジをさらに備える、請求項１記載のリフト効率改善機構。
【請求項４】
前記整備用くさびが前記アクセススロットに対して、前記ヒンジ回りに回転可能である、請求項３記載のリフト効率改善機構。
【請求項５】
前記連結器要素がパッドを備える、請求項１記載のリフト効率改善機構。
【請求項６】
前記リフト効率改善装置が力付加装置を備える、請求項１記載のリフト効率改善機構。
【請求項７】
前記力付加装置がばね仕掛け、平衡錘、および、クレーンの少なくとも１つを備える、請求項６記載のリフト効率改善機構。
【請求項８】
前記リフト効率改善装置が案内器具を備える、請求項１記載のリフト効率改善機構。
【請求項９】
前記リフト効率改善装置が増力装置を備える、請求項１記載のリフト効率改善機構。
【請求項１０】
前記増力装置がジャッキおよび巻き上げ機のうちの少なくとも一方を備える、請求項９記載のリフト効率改善機構。
【発明の詳細な説明】
【技術分野】
【０００１】
本明細書に開示する主題は、タービンケーシングのためのリフト効率改善機構に関し、より詳しくは、タービンケーシングの整備用くさびのためのリフト効率改善機構に関する。
【背景技術】
【０００２】
ガスタービンエンジンおよび蒸気タービンエンジンの設計では、通常、ユニットの水平中心線に沿ったケーシング／外殻分割部がある。重要な保守点検、部品交換、その他では、普通、上半分のケーシングが取り外される。分解工程およびその後の再組立工程は、機械的に非常に入り組んだものであるとともに、多大の資源および時間を使う。例えば、上半分のケーシングをクレーンに取り付けること、ケーシング／外殻分割部の両方において、軸方向の全長にわたって締結要素を取り外し、クレーンを使って上半分のケーシングを下半分のケーシングから持ち上げられるようにすることが必要である。
【０００３】
小規模から中規模の点検、保守、洗浄、修理または交換作業では、多くの場合に、作業者がケーシング／外殻の内部にアクセスしにくい。このため、部品へ内部にアクセスする必要があると、比較的軽微な作業であっても、全体を取り外すという工程を行うことが必要になるであろう。この問題は、特に比較的小規模の保守、修理、または、交換作業の範囲と比べると、非常に多くの資源および時間を使うことがある。
【先行技術文献】
【特許文献】
【０００４】
【特許文献１】米国特許第８２６７４３７号明細書
【発明の概要】
【０００５】
発明の一態様によれば、タービンケーシングのアクセススロットに取り外し可能に取り付けるように構成された整備用くさびに使用するためのリフト効率改善機構が提供される。リフト効率改善機構は、タービンケーシングに、アクセススロットの近くで連結可能な連結器要素と、連結器要素に支持可能につながれ、かつ、整備用くさびに可動につながれ、手で持ち運ぶことができるリフト効率改善装置と、を含む。リフト効率改善装置は、対応する作業者の制御動作に応じてアクセススロットに対して整備用くさびを動かすように構成されている。
【０００６】
発明の別の態様によれば、タービンケーシングのアクセススロットに取り外し可能に取り付けるように構成された整備用くさびに使用するリフト効率改善機構が提供される。リフト効率改善機構は、タービンケーシングにアクセススロットの近くで連結可能な連結器要素と、連結器要素に支持可能につながれ、かつ、整備用くさびに可動につながれた増力装置とを含む。結合器要素および増力装置は、手で持ち運び可能である。増力装置は、対応する作業者の制御動作に応じてアクセススロットに対して整備用くさびを動かすように構成されている。
【０００７】
発明のさらに別の態様によれば、タービンケーシングのアクセススロットに可動に取り付けるように構成された整備用くさびのリフト効率を改善する方法が提供される。この方法は、アクセススロットの近くでタービンケーシングに連結させるように連結器要素を置くステップと、リフト効率改善装置を連結器要素まで手で持ち運ぶステップと、リフト効率改善装置を連結器要素に支持可能につなぐステップと、リフト効率改善装置を整備用くさびに可動につなぐステップと、リフト効率改善装置を利用して、整備用くさびをアクセススロットに対して動かすステップと、を含む。
【０００８】
これらの利点および特徴ならびに他の利点および特徴は、以下の説明を図面とともに参照すればさらに明らかとなるであろう。
【０００９】
発明とみなす主題は、明細書の最後にある特許請求の範囲で詳細に指摘し、かつ、明確に主張した。発明の前述した特徴および利点ならびに他の特徴および利点は、以下の詳細な説明を添付図面とともに参照すれば明らかとなる。
【図面の簡単な説明】
【００１０】
【図１】実施形態によるタービンケーシングの軸方向の図である。
【図２】図１のタービンケーシングの斜視図である。
【図３】代替実施形態によるタービンケーシングの斜視図である。
【図４】図１のタービンケーシングの一部と整備用くさびの軸方向の拡大図である。
【図５】ヒンジ付きの整備用くさびの軸方向の図である。
【図６】実施形態による複数の整備用くさびの概略斜視図である。
【図７】代替実施形態による複数の整備用くさびの概略斜視図である。
【図８】他の代替実施形態による複数の整備用くさびの概略斜視図である。
【図９】実施形態によるリフト効率改善機構の概略斜視図である。
【図１０】代替実施形態によるリフト効率改善機構の概略斜視図である。
【図１１】代替実施形態によるリフト効率改善機構の概略斜視図である。
【発明を実施するための形態】
【００１１】
詳細な説明は、図面を参照しながら、本発明の実施形態を利点および特徴とともに例として説明するものである。
【００１２】
態様によれば、ガスまたは蒸気タービンエンジンの回転および／または静止部品の点検、交換および修理にかかる多大な資源および時間を劇的に低減することができる。これは、少なくとも１つまたは２つ以上の取り外し可能なくさびセグメントを、下側または上側ケーシングまたは外殻の全体のうちの比較的小さな部分として利用することにより達成できるであろう。小さいくさびセグメントは、約１８〜４５３ｋｇほどの重量しかなく、停止時に下側または上側ケーシングまたは外殻よりも効率的に取り外すことができるであろう。くさびセグメントがあることで、作業者は翼配列に直接アクセスして、点検、洗浄または修理を、直径が小さい（通常２ｃｍ以下）のボアスコープの開口部を介して行うよりも徹底的に行える。加えて、将来について適切に配慮すれば、くさびセグメントのために形成されたアクセススロットを通して交換できるように翼配列を設計でき、これにより、大きな負担となる停止時間を短くし、リフトが必要となる回数を減らし、上側ケーシングを完全に取り外すことなくより徹底した点検を行うことができる。
【００１３】
発明の他の態様によれば、１つまたは２つ以上の取り外し可能なくさびセグメントは、下側または上側ケーシングまたは外殻から、作業者が手作業で持ち上げ、取り外すが、作業者は、リフト効率改善機構を使用することができる。このリフト効率改善機構は、場合によっては、力の追加、案内器具、増力を利用することができ、下側または上側ケーシングまたは外殻に取り付け可能であってもよく、また、作業者が手で持ち運ぶものであってもよい。一般に、リフト効率改善機構により、最大許容荷重が大きいクレーンは必要なくなる。
【００１４】
図１、２および３を参照すると、タービンケーシング１０がある。タービンケーシング１０は、第１または下側半球形タービンケーシング外殻（以下、「下側タービンケーシング外殻」という）１１と、第２または上側半球形タービンケーシング外殻（以下、「上側タービンケーシング外殻」という）１２と、少なくとも１つの整備用くさび３０とを含む。上側タービンケーシング外殻１２は、下側タービンケーシング外殻１１に、水平継ぎ目１３および１４に沿って並べられた締結要素によって取り外し可能につなぐように構成されている。上側タービンケーシング外殻１２を下側タービンケーシング外殻１１に取り外し可能に連結する工程は、多くの資源および時間がかかり、タービンケーシング外殻部品を持ち上げるように特別に設計されたクレーンに、上側タービンケーシング外殻１２を最初に取り付けることによって行われる。この工程は、締結要素の各々を水平継ぎ目１３および１４の軸方向長さ全体にわたって取り外し、上側タービンケーシング外殻１２を下側タービンケーシング外殻１１から持ち上げられるようにすることを含む。
【００１５】
一部の従来のケースでは、通常の点検作業および修理作業を行うのに、上側タービンケーシング外殻１２を下側タービンケーシング外殻１１から取り外す必要がない。このような場合、タービンケーシング１０の内部へのアクセスは、小さな（つまり、２ｃｍ以下）のボアスコープ開口部１５を介して行われるであろう。ボアスコープ開口部１５は、上側タービンケーシング外殻１２に形成されているであろう。ターボマシン運転モード時には、ボアスコープ開口部１５は閉鎖要素によって閉じられる。閉鎖要素は、ボアスコープ開口部１５にねじ込んで固定される。したがって、閉鎖要素はボアスコープ開口部１５から、閉鎖要素を放射方向ディメンション（ｒａｄｉａｌ  ｄｉｍｅｎｓｉｏｎ）回りに回転させることで取り外されるであろう。このような場合、製造が容易であることと、タービンケーシング１０が湾曲していることから、ボアスコープ開口部１５は、通常、円形であり、ボアスコープ開口部１５の直径は比較的小規模に維持して、ケーシングにかかる応力集中を小さくし、閉鎖要素がねじ部に正しく合うようにする必要がある。さらに、ボアスコープ開口部１５は、タービンケーシング１０の構造の強度を不必要に低減させないように、直径が小さいボアスコープそのものより大きい必要はない。
【００１６】
ボアスコープ開口部１５の直径が小さいために、上側タービンケーシング外殻１２を下側タービンケーシング外殻から取り外すことなく、ボアスコープ開口部１５を介してできるもの（つまり、小規模から中規模の点検および修理）よりも大きなアクセス範囲を必要とする徹底した点検作業や修理作業を行うことは一般に不可能である。結果として、小規模から中規模の点検および修理は、多くの場合、非常に高いコストを伴い、かつ、多大な資源および時間がかかる前述の取り外し工程によるターボマシン１０の停止時間を伴う。それ故に、上側タービンケーシング外殻１２と下側タービンケーシング外殻１１の少なくとも一方をアクセススロット２０を画定するように形成し、このアクセススロット２０にぴったりと合う大きさに整備用くさび３０を作った。したがって、整備用くさび３０を手作業でアクセススロット２０に取り外し可能に取り付けることができ、この作業は、迅速に実行でき、少なくとも、前述した、上側タービンケーシング外殻１２を完全に取り外す工程よりも迅速に実行できる。
【００１７】
態様によれば、この手作業は、ケーシング外殻を完全に取り外す場合に使用するものよりも全体的に小さい巻き上げ装置やクレーンのおかげで効率よく行われる。上側タービンケーシング外殻１２および下側タービンケーシング外殻１１は重量が数トンのこともあるが、完全な取り外しに必要な巻き上げ装置またはクレーンは、数トンまたはそれ以上を持ち上げる性能がなければならない。これに対して、整備用くさびの取り外しを支援するのに必要とされうる巻き上げ装置またはクレーンに求められるのは、それよりかなり小さい（例えば、数百ポンド以下のオーダーの）重量を持ち上げられることである。
【００１８】
ターボマシン運転時には、整備用くさび３０をアクセススロット２０に取り付ける。整備用くさび３０は、アクセススロット２０から取り外し、上側タービンケーシング外殻１２全体を下側タービンケーシング外殻１１から取り外すことなく、小規模から中規模の点検および修理を可能にすることができる。このように、アクセススロット２０があると、修理および点検のコストが下がり、ターボマシンの停止時間もまた短くなる。
【００１９】
アクセススロット２０は、上側タービンケーシング外殻１２と下側タービンケーシング外殻１１の一方または両方で画定してもよいが、以下の説明は、アクセススロット２０を上側タービンケーシング外殻１２に画定した例示的な場合についてする。これは、明確かつ簡潔のためにするものであり、これ以外に本願または特許請求の範囲の範囲を限定しようとするものではない。
【００２０】
実施形態によれば、アクセススロット２０は、上側タービンケーシング外殻１２に画定し、周方向の弧の長さを適切な寸法にすることで、依然として素早く、効率よく取り外せる大きさの特定の内部部品にアクセスでき、かつ／または、取り外すことができるようにしてもよい。アクセススロット２０が実質的にタービンケーシング１０の軸方向長さの全体にわたって（例えば、前フランジ部４０から後フランジ部４１まで）延びている場合であっても、アクセススロット２０の弧の長さを比較的短くすることで、対応する整備用くさび３０をそれに応じた軽量に維持できるようにしてもよい。整備用くさび３０は、（前述した巻き上げ装置またはクレーンによる効率の改善を受けて、または、受けずに）アクセススロット２０に手作業によって取り外し可能に取り付けるよう構成されているので、整備用くさび３０の軽量という特性により、整備用くさび３０をアクセススロット２０から手を使って、または、比較的小さな巻き上げ装置またはクレーンを使って持ち上げることができる。
【００２１】
もちろん、図に描いたアクセススロット２０が単なる例であること、また、対応する整備用くさび３０が十分に軽く、手作業、または、巻き上げ装置／クレーンで支援された作業で迅速かつ効率的に取り外せる限り、より大きな、または、より小さなアクセススロット２０の他の形状および寸法を利用してもよいことは理解されるべきである。加えて、アクセススロット２０は規則的な形状を有するものとして図示したが、このことが必須でないことは理解されるべきであるし、また、アクセススロット２０が、図３に示すように、規則的な、不規則な、斜めの、丸い、または、他の複雑な形状をしていてもよいことは理解されるべきである。
【００２２】
アクセススロット２０は、上側タービンケーシング外殻１２の中心線１２０に沿って画定してもよいし、中心線１２０に対するオフセット位置（ｏｆｆｓｅｔ  ｐｏｓｉｔｉｏｎ）に画定してもよい。いずれの場合でも、必須のことではないが、アクセススロット２０を中心線１２０に対して対称に画定し、これにより、タービンケーシング１０の熱膨張および収縮の特性を維持してもよい。アクセススロット２０をオフセット位置に画定した場合には、アクセススロット２０を複数のアクセススロット２０として画定してもよい。この場合、アクセススロット２０の一方は中心線１２０に対する第１のオフセット位置に画定してもよく、他方のアクセススロット２０は第１のオフセット位置から見て中心線１２０の反対側にある第２のオフセット位置に画定してもよい。実施形態によれば、第１および第２のオフセット位置は、上側タービンケーシング外殻１２の曲げの節の位置（ｆｌｅｘｕｒａｌ  ｎｏｄａｌ  ｌｏｃａｔｉｏｎｓ）（例えば、それぞれ１：３０の位置と、１０：３０の位置）に、または、その近くに画定してもよい。
【００２３】
上側タービンケーシング外殻１２が複数のアクセススロット２０を画定する場合、整備用くさび３０は、複数の整備用くさび３０および／または複数の疑似くさび３１として設けてもよい。どちらの場合でも、複数の整備用くさび３０または疑似くさび３１の各々は、複数の整備用くさび３０のうちの対応する１つに取り外し可能に取り付けられるように構成する。疑似くさびは、ケーシングの改造部分であって、整備用くさび３０のデザインを幾何学的に模倣し、ケーシングの周方向で対称な場所においてケーシングを熱的かつ機械的に同じように反応させることで、真円度からのずれなどの歪みを防止する部分であってもよい。このような仕組みは、「疑似フランジ」または「疑似くさび」ということもできる。
【００２４】
図４を参照すると、実施形態によれば、整備用くさび３０は、アクセススロット２０にくさび締結要素５０で固定してもよい。くさび締結要素５０は、上側タービンケーシング外殻１２と整備用くさび３０の両方の対応する長辺部分から延びるフランジ５１と、ボルト５２およびナット５３の組合せとを含む。ボルト５２はフランジ５１に画定された貫通孔を通って、ナット５３とねじ結合し、フランジ５１同士を固定し、これによりアクセススロット２０の中に整備用くさび３０を固定する。
【００２５】
図４には、フランジ５１が上側タービンケーシング外殻１２および整備用くさび３０の対応する長辺部分に沿って、軸方向ディメンション（ａｘｉａｌ  ｄｉｍｅｎｓｉｏｎ）に延びているように示したが、この構成は必須ではなく、他の構成も可能であることは理解すべきである。例えば、フランジ５１は、長辺部分に沿って配置できるし、短辺部分に沿って配置できるし、または長辺部分および短辺部分の両方に沿って配置することもできる。いずれにしても、整備用くさび３０をアクセススロット２０に固定できる限り、ボルト／ナットの組合せの数を予め定められた数以下に維持して、整備用くさび３０を取り外すのに必要な時間を望ましい短さに維持できるようにしてもよい。実施形態によれば、ボルト／ナットの組合せは、ボルト５２を（放射方向ディメンションではなく）軸方向または周方向ディメンション（ｃｉｒｃｕｍｆｅｒｅｎｔｉａｌ  ｄｉｍｅｎｓｉｏｎ）に沿って延びるように配置してもよい。
【００２６】
図５を参照すると、整備用くさび３０は、上側タービンケーシング外殻１２にヒンジアセンブリ６０によって蝶番のように動くようにつないでもよい。例えば、整備用くさび３０にはヒンジ腕部６１があってもよく、ヒンジ腕部６１は、整備用くさび３０の側面から放射方向外側かつ周方向に突き出ている。一方、上側タービンケーシング外殻１２には、案内要素６２があってもよい。円柱状突起部またはヒンジピン６３をヒンジ腕部６１および案内要素６２を貫通するように置いてもよい。このような場合、整備用くさび３０は、使用中の全ての締結要素を外し、次に、整備用くさび３０を放射方向外側へ、ヒンジピン６３が案内要素６２の遠位端に達するまで引き抜くことによってアクセススロット２０から取り外すことができる。この時点で、整備用くさび３０をヒンジピン６３の回りに軸回転させて、整備用くさび３０を取り外す工程をやり遂げることができる。
【００２７】
他の実施形態によれば、ボアスコープ開口部１５は、アクセススロット２０が形成されていれば必要がないということを理解すべきである。このような場合、ボアスコープは、整備用くさび３０を取り外した状態で、アクセススロット２０に単に蛇行させて通すことであってもよい。ボアスコープを所定位置に固定する必要があれば、本開示の範囲内で適切な器具を提供して、そのようにしてもよい。
【００２８】
図６から８を参照すると、他の実施形態によれば、複数の整備用くさび３０を１つのアクセススロット２０に取り外し可能に取り付けてもよい。このような場合、複数の整備用くさび３０は、前述した作業と同様の手作業で、一体として取り外してもよいし、一度に１つずつ取り外してもよい。１つのアクセススロット２０に複数の整備用くさび３０を使用すると、アクセススロット２０の寸法の自由度が増すとともに、整備作業の自由度が増すことが可能になるであろう。つまり、限定的なアクセスしか必要のない一定の整備では、複数の整備用くさび３０のうちの１つだけを取り外せばよく、その一方で、より重要な整備作業では複数の整備用くさび３０を取り除いてもよい。
【００２９】
図６には複数の整備用くさび３０がアクセススロット２０に周方向ディメンションに並べられているのが示されているが、これは必須ではなく、整備用くさび３０は他のディメンションに並べることもできることは理解されるべきである。例えば、複数の整備用くさび３０は、周方向ディメンションに並べてもよく（つまり、２×１行列、図６参照）、軸方向ディメンションに並べてもよく（つまり、１×２行列、図７参照）、または、軸方向および周方向ディメンションに並べてもよい（つまり、２×２行列、図８参照）。
【００３０】
図９および１０を参照すると、発明の他の態様によれば、タービンケーシング１０のアクセススロット２０に取り外し可能に取り付けるように構成された整備用くさび３０で（前述したように）使用するために、リフト効率改善機構１００が用意されている。リフト効率改善機構１００は、連結器要素１０１と、手で持ち運ぶことのできるリフト効率改善装置１０２とを含む。リフト効率改善装置１０２は、場合によっては、増力装置であってもよい。連結器要素１０１は、実質的に剛体の構造要素であってもよく、この構造要素は、タービンケーシング１０の外面、フランジ部、締結要素、または、何らかの他の適当な表面特徴部と、アクセススロット２０の近くの場所で連結可能である。整備用くさび３０は、アクセススロット２０に対して、実質的に、タービンケーシング１０の放射方向ディメンションに関して定義される放射方向に可動であってもよい。あるいは、図９および１０に示すように、整備用くさび３０は、ヒンジ１０３回りに、アクセススロット２０に対して回転可能であってもよい。
【００３１】
リフト効率改善装置１０２が増力装置として用意されている場合、リフト効率改善装置１０２は、油圧もしくは空気圧のジャッキ（図９）、または、巻き上げ機（図１０）を含み、連結器要素１０１に支持可能につながれ、かつ、整備用くさび３０に可動につながれていてもよい。前者の場合、図９に示すように、連結器要素１０１は、タービンケーシング１０に取り付け可能な伸張部１０１０を含んでいてもよく、リフト効率改善装置１０２は、連結器要素１０１と整備用くさび３０との間に作動可能に置かれた空気圧または油圧のジャッキ要素１０２０を含んでいてもよい。後者の場合、図１０に示すように、連結器要素１０１は、タービンケーシング１０に取り付け可能である支持構造部１０１１を含んでいてもよく、リフト効率改善装置１０２は、空気圧また油圧の巻き上げ要素１０２１およびケーブル１０２２を含んでいてもよい。この場合、ケーブル１０２２は整備用くさび３０につながれ、かつ、空気圧または油圧の巻き上げ要素１０２１に連結され、これにより、空気圧または油圧の巻き上げ要素１０２１がケーブル１０２２に作用して整備用くさび３０の動きを制御する。いずれの場合でも、リフト効率改善装置１０２は、対応する作業者の制御動作（つまり、空気圧または油圧のジャッキ要素１０２０のジャッキ運動）に応じて整備用くさび３０をアクセススロット２０に対して動かすように構成されている。
【００３２】
図１１を参照すると、リフト効率改善装置１０２には、前述した増力装置、力付加装置、および、案内器具の少なくとも１つを設けてもよい。
【００３３】
リフト効率改善装置１０２が力付加装置として用意されている場合、リフト効率改善装置１０２は、ばね仕掛け１０２３、平衡錘１０２４、および、最大許容荷重が比較的小さく、手で持ち運ぶことができるクレーン１０２５の少なくとも１つを含んでいてもよい。ばね仕掛け１０２３の場合、ばねのような弾性要素をタービンケーシング１０と整備用くさび３０の間に作動可能に置いてもよい。整備用くさび３０をアクセススロット２０から取り外さねばならず、整備用くさび３０を所定位置に固定する全ての締結要素が外された場合、ばね仕掛け１０２３を利用して作業者のために押し上げて、作業者が整備用くさび３０を静止位置から動かし始める必要がないようにすることができる。平衡錘１０２４の場合、平衡錘１０２４は、整備用くさび３０をアクセススロットから取り外すときに整備用くさび３０に取り付け、そうすることで平衡錘１０２４により整備用くさび３０の重量が事実上小さくなるようにしてもよい。最大許容荷重が小さく、手で持ち運ぶことができるクレーン１０２５は、平衡錘と似た方法で機能し、整備用くさび３０の重量を事実上小さくする。
【００３４】
リフト効率改善装置１０２が案内器具として用意されている場合、リフト効率改善装置１０２は案内レール１０２６を含んでいてもよく、この案内レール１０２６は、整備用くさび３０の動きを、整備用くさび３０をアクセススロット２０に取り付けたり、取り外したりするときに案内する。具体的には、案内レール１０２６を比較的浅い角度で設け、整備用くさび３０の運動における鉛直方向持ち上げ成分を制限してもよい。
【００３５】
連結器要素１０１とリフト効率改善装置１０２の少なくとも一方または両方が手で持ち運び可能である。つまり、連結器要素１０１とリフト効率改善装置１０２の少なくとも一方または両方が、作業者がタービンケーシング１０へ、または、タービンケーシング１０から持ち上げ、運べるほど十分に軽量であってもよい。さらに、実施形態によれば、連結器要素１０１とリフト効率改善装置１０２の少なくとも一方または両方が、タービンケーシング１０に損傷を与える危険なく、作業差が手で取り扱ってタービンケーシング１０の適切な位置に置けるほど十分に軽量であってもよい。
【００３６】
図面、特に図９から１１に示したさまざまな実施形態は、図面自体に示した配置に関係なく、さまざまな構成で交換可能かつ組合せ可能であることは理解されるべきである。
【００３７】
発明を限られた数の実施形態に関してのみ詳細に説明したが、発明が開示したこれらの実施形態に限定されないことは容易に分かるはずである。むしろ、発明は修正して、任意の数の、これまでに説明していない変形例、代替例、置換例、または、均等な構成であって、発明の趣旨および範囲に対応するものを組み込むことができる。加えて、発明のさまざまな実施形態を説明したが、発明の態様が説明した実施形態の一部のみを含むことは理解されるべきである。よって、発明が前述した記載に限定されるとみなしてはならず、添付した特許請求の範囲によってのみ限定されるとみなすべきである。
【符号の説明】
【００３８】
１０  タービンケーシング
１１  下側タービンケーシング外殻
１２  上側タービンケーシング外殻
１２０  中心線
１３、１４  継ぎ目
１５  ボアスコープ開口部
２０  アクセススロット
３０  整備用くさび
３１  疑似くさび
５０  締結要素
５１  フランジ
５２  ボルト
５３  ナット
６０  ヒンジアセンブリ
６１  ヒンジ腕部
６２  案内要素
６３  ヒンジピン
１００  リフト支援機構
１０１  連結器要素
１０１０  伸張部
１０１１  支持構造
１０２  リフト支援装置
１０２０  油圧ジャッキ要素
１０２１  巻き上げ機要素
１０２２  ケーブル
１０２３  ばね仕掛け
１０２４  平衡錘
１０２５  グレーン
１０２６  案内レール
【図１】
2014196737.tif 000003
【図２】
2014196737.tif 000004
【図３】
2014196737.tif 000005
【図４】
2014196737.tif 000006
【図５】
2014196737.tif 000007
【図６】
2014196737.tif 000008
【図７】
2014196737.tif 000009
【図８】
2014196737.tif 000010
【図９】
2014196737.tif 000011
【図１０】
2014196737.tif 000012
【図１１】
2014196737.tif 000013
【外国語明細書】
2014196737000001.pdf